【手続補正書】
【提出日】平成26年4月1日(2014.4.1)
【手続補正１】
【補正対象書類名】特許請求の範囲
【補正対象項目名】全文
【補正方法】変更
【補正の内容】
【特許請求の範囲】
【請求項１】
符号化ストリームからブロック単位で画面内予測モードを特定する情報を復号し、復号された画面内予測モードを特定する情報を用いて、画像信号を復号する画像復号装置であって、
復号済みブロックの画面内予測モードを記憶する画面内予測モード記憶部と、
復号対象ブロックの画面内予測処理に用いる複数の参照ブロックの画面内予測モードを前記画面内予測モード記憶部から取得し、その取得した画面内予測モードに基づき前記復号対象ブロックの画面内予測モードの候補となる優先予測モードのリストを作成する優先予測モードリスト作成部と、
前記復号対象ブロックの画面内予測モードが優先予測モードである場合はその優先予測モードを特定する情報を、前記復号対象ブロックの画面内予測モードが非優先予測モードである場合はその非優先予測モードを特定する情報を、前記復号対象ブロックの画面内予測モードが優先予測モードであるかどうかを示す情報とともに復号する復号部と、
前記画面内予測モードが優先予測モードであるかどうかを示す情報に基づき、前記復号対象ブロックの画面内予測モードを優先予測モードであると判定した場合に、復号された前記優先予測モードを特定する情報から前記リストにしたがって前記復号対象ブロックの画面内予測モードを導出する優先予測モード導出部と、
前記画面内予測モードが優先予測モードであるかどうかを示す情報に基づき、前記復号対象ブロックの画面内予測モードを非優先予測モードであると判定した場合に、復号された前記非優先予測モードを特定する情報から前記リストに基づき前記復号対象ブロックの画面内予測モードを導出する非優先予測モード導出部とを備え、
前記優先予測モードリスト作成部は、複数の前記参照ブロックの異なる画面内予測モードの数によらず、いずれの復号対象ブロックでも所定数の要素を持つ前記リストを作成するとともに、複数の前記参照ブロックの画面内予測モードから得られた前記所定数未満の優先予測モードの候補の中に同一のものがあり、その同一のものが平均値モードでない場合、前記参照ブロックの同一の画面内予測モードの予測方向と隣接する予測方向をもつ別の画面内予測モードを新たに候補に加えて、前記所定数の要素を持つ前記リストを作成することを特徴とする画像復号装置。
【請求項２】
符号化ストリームからブロック単位で画面内予測モードを特定する情報を復号し、復号された画面内予測モードを特定する情報を用いて、画像信号を復号する画像復号方法であって、
復号済みブロックの画面内予測モードを記憶するメモリを参照して、復号対象ブロックの画面内予測処理に用いる複数の参照ブロックの画面内予測モードを取得し、その取得した画面内予測モードに基づき前記復号対象ブロックの画面内予測モードの候補となる優先予測モードのリストを作成する優先予測モードリスト作成ステップと、
前記復号対象ブロックの画面内予測モードが優先予測モードである場合はその優先予測モードを特定する情報を、前記復号対象ブロックの画面内予測モードが非優先予測モードである場合はその非優先予測モードを特定する情報を、前記復号対象ブロックの画面内予測モードが優先予測モードであるかどうかを示す情報とともに復号する復号ステップと、
前記画面内予測モードが優先予測モードであるかどうかを示す情報に基づき、前記復号対象ブロックの画面内予測モードを優先予測モードであると判定した場合に、復号された前記優先予測モードを特定する情報から前記リストにしたがって前記復号対象ブロックの画面内予測モードを導出する優先予測モード導出ステップと、
前記画面内予測モードが優先予測モードであるかどうかを示す情報に基づき、前記復号対象ブロックの画面内予測モードを非優先予測モードであると判定した場合に、復号された前記非優先予測モードを特定する情報から前記リストに基づき前記復号対象ブロックの画面内予測モードを導出する非優先予測モード導出ステップとを備え、
前記優先予測モードリスト作成ステップは、複数の前記参照ブロックの異なる画面内予測モードの数によらず、いずれの復号対象ブロックでも所定数の要素を持つ前記リストを作成するとともに、複数の前記参照ブロックの画面内予測モードから得られた前記所定数未満の優先予測モードの候補の中に同一のものがあり、その同一のものが平均値モードでない場合、前記参照ブロックの同一の画面内予測モードの予測方向と隣接する予測方向をもつ別の画面内予測モードを新たに候補に加えて、前記所定数の要素を持つ前記リストを作成することを特徴とする画像復号方法。
【請求項３】
符号化ストリームからブロック単位で画面内予測モードを特定する情報を復号し、復号された画面内予測モードを特定する情報を用いて、画像信号を復号する画像復号プログラムであって、
復号済みブロックの画面内予測モードを記憶するメモリを参照して、復号対象ブロックの画面内予測処理に用いる複数の参照ブロックの画面内予測モードを取得し、その取得した画面内予測モードに基づき前記復号対象ブロックの画面内予測モードの候補となる優先予測モードのリストを作成する優先予測モードリスト作成ステップと、
前記復号対象ブロックの画面内予測モードが優先予測モードである場合はその優先予測モードを特定する情報を、前記復号対象ブロックの画面内予測モードが非優先予測モードである場合はその非優先予測モードを特定する情報を、前記復号対象ブロックの画面内予測モードが優先予測モードであるかどうかを示す情報とともに復号する復号ステップと、
前記画面内予測モードが優先予測モードであるかどうかを示す情報に基づき、前記復号対象ブロックの画面内予測モードを優先予測モードであると判定した場合に、復号された前記優先予測モードを特定する情報から前記リストにしたがって前記復号対象ブロックの画面内予測モードを導出する優先予測モード導出ステップと、
前記画面内予測モードが優先予測モードであるかどうかを示す情報に基づき、前記復号対象ブロックの画面内予測モードを非優先予測モードであると判定した場合に、復号された前記非優先予測モードを特定する情報から前記リストに基づき前記復号対象ブロックの画面内予測モードを導出する非優先予測モード導出ステップとをコンピュータに実行させ、
前記優先予測モードリスト作成ステップは、複数の前記参照ブロックの異なる画面内予測モードの数によらず、いずれの復号対象ブロックでも所定数の要素を持つ前記リストを作成するとともに、複数の前記参照ブロックの画面内予測モードから得られた前記所定数未満の優先予測モードの候補の中に同一のものがあり、その同一のものが平均値モードでない場合、前記参照ブロックの同一の画面内予測モードの予測方向と隣接する予測方向をもつ別の画面内予測モードを新たに候補に加えて、前記所定数の要素を持つ前記リストを作成することを特徴とする画像復号プログラム。
【請求項４】
符号化ストリームを受信して、その受信された符号化ストリームからブロック単位で画面内予測モードを特定する情報を復号し、復号された画面内予測モードを特定する情報を用いて、画像信号を復号する受信装置であって、
パケット化された符号化ストリームを受信する受信部と、
受信された前記パケット化された符号化ストリームをパケット処理して元の符号化ストリームを復元する復元部と、
復号済みブロックの画面内予測モードを記憶する画面内予測モード記憶部と、
復号対象ブロックの画面内予測処理に用いる複数の参照ブロックの画面内予測モードを前記画面内予測モード記憶部から取得し、その取得した画面内予測モードに基づき前記復号対象ブロックの画面内予測モードの候補となる優先予測モードのリストを作成する優先予測モードリスト作成部と、
前記復号対象ブロックの画面内予測モードが優先予測モードである場合はその優先予測モードを特定する情報を、前記復号対象ブロックの画面内予測モードが非優先予測モードである場合はその非優先予測モードを特定する情報を、前記復号対象ブロックの画面内予測モードが優先予測モードであるかどうかを示す情報とともに復号する復号部と、
前記画面内予測モードが優先予測モードであるかどうかを示す情報に基づき、前記復号対象ブロックの画面内予測モードを優先予測モードであると判定した場合に、復号された前記優先予測モードを特定する情報から前記リストにしたがって前記復号対象ブロックの画面内予測モードを導出する優先予測モード導出部と、
前記画面内予測モードが優先予測モードであるかどうかを示す情報に基づき、前記復号対象ブロックの画面内予測モードを非優先予測モードであると判定した場合に、復号された前記非優先予測モードを特定する情報から前記リストに基づき前記復号対象ブロックの画面内予測モードを導出する非優先予測モード導出部とを備え、
前記優先予測モードリスト作成部は、複数の前記参照ブロックの異なる画面内予測モードの数によらず、いずれの復号対象ブロックでも所定数の要素を持つ前記リストを作成するとともに、複数の前記参照ブロックの画面内予測モードから得られた前記所定数未満の優先予測モードの候補の中に同一のものがあり、その同一のものが平均値モードでない場合、前記参照ブロックの同一の画面内予測モードの予測方向と隣接する予測方向をもつ別の画面内予測モードを新たに候補に加えて、前記所定数の要素を持つ前記リストを作成することを特徴とする受信装置。
【請求項５】
符号化ストリームを受信して、その受信された符号化ストリームからブロック単位で画面内予測モードを特定する情報を復号し、復号された画面内予測モードを特定する情報を用いて、画像信号を復号する受信方法であって、
パケット化された符号化ストリームを受信する受信ステップと、
受信された前記パケット化された符号化ストリームをパケット処理して元の符号化ストリームを復元する復元ステップと、
復号済みブロックの画面内予測モードを記憶するメモリを参照して、復号対象ブロックの画面内予測処理に用いる複数の参照ブロックの画面内予測モードを取得し、その取得した画面内予測モードに基づき前記復号対象ブロックの画面内予測モードの候補となる優先予測モードのリストを作成する優先予測モードリスト作成ステップと、
前記復号対象ブロックの画面内予測モードが優先予測モードである場合はその優先予測モードを特定する情報を、前記復号対象ブロックの画面内予測モードが非優先予測モードである場合はその非優先予測モードを特定する情報を、前記復号対象ブロックの画面内予測モードが優先予測モードであるかどうかを示す情報とともに復号する復号ステップと、
前記画面内予測モードが優先予測モードであるかどうかを示す情報に基づき、前記復号対象ブロックの画面内予測モードを優先予測モードであると判定した場合に、復号された前記優先予測モードを特定する情報から前記リストにしたがって前記復号対象ブロックの画面内予測モードを導出する優先予測モード導出ステップと、
前記画面内予測モードが優先予測モードであるかどうかを示す情報に基づき、前記復号対象ブロックの画面内予測モードを非優先予測モードであると判定した場合に、復号された前記非優先予測モードを特定する情報から前記リストに基づき前記復号対象ブロックの画面内予測モードを導出する非優先予測モード導出ステップとを備え、
前記優先予測モードリスト作成ステップは、複数の前記参照ブロックの異なる画面内予測モードの数によらず、いずれの復号対象ブロックでも所定数の要素を持つ前記リストを作成するとともに、複数の前記参照ブロックの画面内予測モードから得られた前記所定数未満の優先予測モードの候補の中に同一のものがあり、その同一のものが平均値モードでない場合、前記参照ブロックの同一の画面内予測モードの予測方向と隣接する予測方向をもつ別の画面内予測モードを新たに候補に加えて、前記所定数の要素を持つ前記リストを作成することを特徴とする受信方法。
【請求項６】
符号化ストリームを受信して、その受信された符号化ストリームからブロック単位で画面内予測モードを特定する情報を復号し、復号された画面内予測モードを特定する情報を用いて、画像信号を復号する受信プログラムであって、
パケット化された符号化ストリームを受信する受信ステップと、
受信された前記パケット化された符号化ストリームをパケット処理して元の符号化ストリームを復元する復元ステップと、
復号済みブロックの画面内予測モードを記憶するメモリを参照して、復号対象ブロックの画面内予測処理に用いる複数の参照ブロックの画面内予測モードを取得し、その取得した画面内予測モードに基づき前記復号対象ブロックの画面内予測モードの候補となる優先予測モードのリストを作成する優先予測モードリスト作成ステップと、
前記復号対象ブロックの画面内予測モードが優先予測モードである場合はその優先予測モードを特定する情報を、前記復号対象ブロックの画面内予測モードが非優先予測モードである場合はその非優先予測モードを特定する情報を、前記復号対象ブロックの画面内予測モードが優先予測モードであるかどうかを示す情報とともに復号する復号ステップと、
前記画面内予測モードが優先予測モードであるかどうかを示す情報に基づき、前記復号対象ブロックの画面内予測モードを優先予測モードであると判定した場合に、復号された前記優先予測モードを特定する情報から前記リストにしたがって前記復号対象ブロックの画面内予測モードを導出する優先予測モード導出ステップと、
前記画面内予測モードが優先予測モードであるかどうかを示す情報に基づき、前記復号対象ブロックの画面内予測モードを非優先予測モードであると判定した場合に、復号された前記非優先予測モードを特定する情報から前記リストに基づき前記復号対象ブロックの画面内予測モードを導出する非優先予測モード導出ステップとを備え、
前記優先予測モードリスト作成ステップは、複数の前記参照ブロックの異なる画面内予測モードの数によらず、いずれの復号対象ブロックでも所定数の要素を持つ前記リストを作成するとともに、複数の前記参照ブロックの画面内予測モードから得られた前記所定数未満の優先予測モードの候補の中に同一のものがあり、その同一のものが平均値モードでない場合、前記参照ブロックの同一の画面内予測モードの予測方向と隣接する予測方向をもつ別の画面内予測モードを新たに候補に加えて、前記所定数の要素を持つ前記リストを作成することを特徴とする受信プログラム。
【手続補正２】
【補正対象書類名】明細書
【補正対象項目名】０００９
【補正方法】変更
【補正の内容】
【０００９】
上記課題を解決するために、本発明のある態様の画像復号装置は、符号化ストリームからブロック単位で画面内予測モードを特定する情報を復号し、復号された画面内予測モードを特定する情報を用いて、画像信号を復号する画像復号装置であって、復号済みブロックの画面内予測モードを記憶する画面内予測モード記憶部と、復号対象ブロックの画面内予測処理に用いる複数の参照ブロックの画面内予測モードを前記画面内予測モード記憶部から取得し、その取得した画面内予測モードに基づき前記復号対象ブロックの画面内予測モードの候補となる優先予測モードのリストを作成する優先予測モードリスト作成部と、前記復号対象ブロックの画面内予測モードが優先予測モードである場合はその優先予測モードを特定する情報を、前記復号対象ブロックの画面内予測モードが非優先予測モードである場合はその非優先予測モードを特定する情報を、前記復号対象ブロックの画面内予測モードが優先予測モードであるかどうかを示す情報とともに復号する復号部と、前記画面内予測モードが優先予測モードであるかどうかを示す情報に基づき、前記復号対象ブロックの画面内予測モードを優先予測モードであると判定した場合に、復号された前記優先予測モードを特定する情報から前記リストにしたがって前記復号対象ブロックの画面内予測モードを導出する優先予測モード導出部と、前記画面内予測モードが優先予測モードであるかどうかを示す情報に基づき、前記復号対象ブロックの画面内予測モードを非優先予測モードであると判定した場合に、復号された前記非優先予測モードを特定する情報から前記リストに基づき前記復号対象ブロックの画面内予測モードを導出する非優先予測モード導出部とを備える。前記優先予測モードリスト作成部は、複数の前記参照ブロックの異なる画面内予測モードの数によらず、いずれの復号対象ブロックでも所定数の要素を持つ前記リストを作成するとともに、複数の前記参照ブロックの画面内予測モードから得られた前記所定数未満の優先予測モードの候補の中に同一のものがあり、その同一のものが平均値モードでない場合、前記参照ブロックの同一の画面内予測モードの予測方向と隣接する予測方向をもつ別の画面内予測モードを新たに候補に加えて、前記所定数の要素を持つ前記リストを作成する。
本発明の別の態様は、画像復号方法である。この方法は、符号化ストリームからブロック単位で画面内予測モードを特定する情報を復号し、復号された画面内予測モードを特定する情報を用いて、画像信号を復号する画像復号方法であって、復号済みブロックの画面内予測モードを記憶するメモリを参照して、復号対象ブロックの画面内予測処理に用いる複数の参照ブロックの画面内予測モードを取得し、その取得した画面内予測モードに基づき前記復号対象ブロックの画面内予測モードの候補となる優先予測モードのリストを作成する優先予測モードリスト作成ステップと、前記復号対象ブロックの画面内予測モードが優先予測モードである場合はその優先予測モードを特定する情報を、前記復号対象ブロックの画面内予測モードが非優先予測モードである場合はその非優先予測モードを特定する情報を、前記復号対象ブロックの画面内予測モードが優先予測モードであるかどうかを示す情報とともに復号する復号ステップと、前記画面内予測モードが優先予測モードであるかどうかを示す情報に基づき、前記復号対象ブロックの画面内予測モードを優先予測モードであると判定した場合に、復号された前記優先予測モードを特定する情報から前記リストにしたがって前記復号対象ブロックの画面内予測モードを導出する優先予測モード導出ステップと、前記画面内予測モードが優先予測モードであるかどうかを示す情報に基づき、前記復号対象ブロックの画面内予測モードを非優先予測モードであると判定した場合に、復号された前記非優先予測モードを特定する情報から前記リストに基づき前記復号対象ブロックの画面内予測モードを導出する非優先予測モード導出ステップとを備える。前記優先予測モードリスト作成ステップは、複数の前記参照ブロックの異なる画面内予測モードの数によらず、いずれの復号対象ブロックでも所定数の要素を持つ前記リストを作成するとともに、複数の前記参照ブロックの画面内予測モードから得られた前記所定数未満の優先予測モードの候補の中に同一のものがあり、その同一のものが平均値モードでない場合、前記参照ブロックの同一の画面内予測モードの予測方向と隣接する予測方向をもつ別の画面内予測モードを新たに候補に加えて、前記所定数の要素を持つ前記リストを作成する。
本発明の別の態様は、受信装置である。この受信装置は、符号化ストリームを受信して、その受信された符号化ストリームからブロック単位で画面内予測モードを特定する情報を復号し、復号された画面内予測モードを特定する情報を用いて、画像信号を復号する受信装置であって、パケット化された符号化ストリームを受信する受信部と、受信された前記パケット化された符号化ストリームをパケット処理して元の符号化ストリームを復元する復元部と、復号済みブロックの画面内予測モードを記憶する画面内予測モード記憶部と、復号対象ブロックの画面内予測処理に用いる複数の参照ブロックの画面内予測モードを前記画面内予測モード記憶部から取得し、その取得した画面内予測モードに基づき前記復号対象ブロックの画面内予測モードの候補となる優先予測モードのリストを作成する優先予測モードリスト作成部と、前記復号対象ブロックの画面内予測モードが優先予測モードである場合はその優先予測モードを特定する情報を、前記復号対象ブロックの画面内予測モードが非優先予測モードである場合はその非優先予測モードを特定する情報を、前記復号対象ブロックの画面内予測モードが優先予測モードであるかどうかを示す情報とともに復号する復号部と、前記画面内予測モードが優先予測モードであるかどうかを示す情報に基づき、前記復号対象ブロックの画面内予測モードを優先予測モードであると判定した場合に、復号された前記優先予測モードを特定する情報から前記リストにしたがって前記復号対象ブロックの画面内予測モードを導出する優先予測モード導出部と、前記画面内予測モードが優先予測モードであるかどうかを示す情報に基づき、前記復号対象ブロックの画面内予測モードを非優先予測モードであると判定した場合に、復号された前記非優先予測モードを特定する情報から前記リストに基づき前記復号対象ブロックの画面内予測モードを導出する非優先予測モード導出部とを備える。前記優先予測モードリスト作成部は、複数の前記参照ブロックの異なる画面内予測モードの数によらず、いずれの復号対象ブロックでも所定数の要素を持つ前記リストを作成するとともに、複数の前記参照ブロックの画面内予測モードから得られた前記所定数未満の優先予測モードの候補の中に同一のものがあり、その同一のものが平均値モードでない場合、前記参照ブロックの同一の画面内予測モードの予測方向と隣接する予測方向をもつ別の画面内予測モードを新たに候補に加えて、前記所定数の要素を持つ前記リストを作成する。
そして本発明の別の態様は、受信方法である。この受信方法は、符号化ストリームを受信して、その受信された符号化ストリームからブロック単位で画面内予測モードを特定する情報を復号し、復号された画面内予測モードを特定する情報を用いて、画像信号を復号する受信方法であって、パケット化された符号化ストリームを受信する受信ステップと、受信された前記パケット化された符号化ストリームをパケット処理して元の符号化ストリームを復元する復元ステップと、復号済みブロックの画面内予測モードを記憶するメモリを参照して、復号対象ブロックの画面内予測処理に用いる複数の参照ブロックの画面内予測モードを取得し、その取得した画面内予測モードに基づき前記復号対象ブロックの画面内予測モードの候補となる優先予測モードのリストを作成する優先予測モードリスト作成ステップと、前記復号対象ブロックの画面内予測モードが優先予測モードである場合はその優先予測モードを特定する情報を、前記復号対象ブロックの画面内予測モードが非優先予測モードである場合はその非優先予測モードを特定する情報を、前記復号対象ブロックの画面内予測モードが優先予測モードであるかどうかを示す情報とともに復号する復号ステップと、前記画面内予測モードが優先予測モードであるかどうかを示す情報に基づき、前記復号対象ブロックの画面内予測モードを優先予測モードであると判定した場合に、復号された前記優先予測モードを特定する情報から前記リストにしたがって前記復号対象ブロックの画面内予測モードを導出する優先予測モード導出ステップと、前記画面内予測モードが優先予測モードであるかどうかを示す情報に基づき、前記復号対象ブロックの画面内予測モードを非優先予測モードであると判定した場合に、復号された前記非優先予測モードを特定する情報から前記リストに基づき前記復号対象ブロックの画面内予測モードを導出する非優先予測モード導出ステップとを備える。前記優先予測モードリスト作成ステップは、複数の前記参照ブロックの異なる画面内予測モードの数によらず、いずれの復号対象ブロックでも所定数の要素を持つ前記リストを作成するとともに、複数の前記参照ブロックの画面内予測モードから得られた前記所定数未満の優先予測モードの候補の中に同一のものがあり、その同一のものが平均値モードでない場合、前記参照ブロックの同一の画面内予測モードの予測方向と隣接する予測方向をもつ別の画面内予測モードを新たに候補に加えて、前記所定数の要素を持つ前記リストを作成する。
なお、以上の構成要素の任意の組合せ、本発明の表現を方法、装置、システム、記録媒体、コンピュータプログラムなどの間で変換したものもまた、本発明の態様として有効である。